(57)【要約】【課題】少なくとも１本の放電ランプが点灯するように間引き可能であってコスト低減が図られる放電ランプ点灯装置および照明器具を提供する。【解決手段】放電ランプ点灯装置１は、インバータ回路３の出力間に接続された第１の共振回路４と、第１の共振回路４と並列的に接続された第１の共振回路４の固有共振周波数ｆ０１と略同等の固有共振周波数ｆ０２を有する第２の共振回路５と、第１の共振回路４に直列的に接続された定格電流が略同等の第１および第２の放電ランプ６，７と、第２の共振回路５に接続された第１および第２の放電ランプよりも定格ランプ電圧が大きく定格ランプ電流が略同等の第３の放電ランプ８と、インバータ回路３を固有共振周波数ｆ０１，ｆ０２の近傍の発振周波数ｆ０により制御する制御回路９を具備する。【選択図】図１
2006286424.tif 000002
【特許請求の範囲】
【請求項１】
直流電圧を出力する直流電源回路と；
スイッチ素子を備え、このスイッチ素子のオンオフ動作により前記直流電圧を高周波電圧に変換して出力するインバータ回路と；
第１のインダクタおよび第１の共振用コンデンサを有してなり、インバータ回路の出力間に接続されて前記高周波電圧により共振する第１の共振回路と；
第１のインダクタと略同等のインダンタンス値を有する第２のインダクタおよび第１の共振用コンデンサと略同等のキャパシタンス値を有する第２の共振用コンデンサを有してなり、インバータ回路の出力間に第１の共振回路と並列的に接続された第１の共振回路の固有共振周波数と略同等の固有共振周波数を有する第２の共振回路と；
第１の共振用コンデンサの両端間に直列的に接続された定格ランプ電流が略同等の第１および第２の放電ランプと；
第２の共振用コンデンサの両端間に接続された第１および第２の放電ランプよりも定格ランプ電圧が大きく定格ランプ電流が略同等の第３の放電ランプと；
前記スイッチ素子のオンオフ動作を第１または第２の共振回路の固有共振周波数の近傍の発振周波数により制御する制御回路と；
を具備していることを特徴とする放電ランプ点灯装置。
【請求項２】
直流電源回路は、チョッパ回路を具備し、このチョッパ回路の出力電圧を変化させることにより、インバータ回路から出力される高周波電圧を変化させることを特徴とする請求項１記載の放電ランプ点灯装置。
【請求項３】
請求項１または２記載の放電ランプ点灯装置と；
この放電ランプ点灯装置を配設している照明器具本体と；
を具備していることを特徴とする照明器具。
【請求項４】
第１ないし第３の放電ランプは、環形蛍光ランプであって、第３の放電ランプが最も外側となるように配設されていることを特徴とする請求項３記載の照明器具。
【発明の詳細な説明】
【技術分野】
【０００１】
本発明は、複数の放電ランプを高周波点灯させる放電ランプ点灯装置および照明器具に関する。
【背景技術】
【０００２】
この種の放電ランプ点灯装置として、インバータ回路の出力間に複数の放電ランプを含む負荷回路を並列的に接続したものが提案されている（例えば、特許文献１参照。）。この従来技術の放電ランプ点灯装置は、それぞれの負荷回路が独立しているので、放電ランプを取外して残余の放電ランプを点灯させる所謂間引き点灯させることができる。
【０００３】
また、インバータ回路の出力間に複数の放電ランプが直列的に接続された負荷回路を接続したものが提案されている（例えば、特許文献２参照。）。この従来技術の放電ランプ点灯装置は、放電ランプの１本が取り外されると、共振回路が遮断されるので、残余の放電ランプが消灯する。
【特許文献１】特開平１０−９２５９４号公報（第４頁、第１図）
【特許文献２】特開平８−３３００８２号公報（第４−５頁、第２図）
【発明の開示】
【発明が解決しようとする課題】
【０００４】
特許文献１の放電ランプ点灯装置は、個々の放電ランプに対して少なくとも１つのインダクタおよび共振用コンデンサを有する共振回路を具備するので、部品点数が多くなってコストアップするという欠点を有する。また、特許文献２の放電ランプ点灯装置は、複数の放電ランプのうちの１本を取外して間引き点灯させることができない。
【０００５】
本発明は、少なくとも１本の放電ランプが点灯するように間引き可能であってコスト低減が図られる放電ランプ点灯装置および照明器具を提供することを目的とする。
【課題を解決するための手段】
【０００６】
請求項１に記載の放電ランプ点灯装置の発明は、直流電圧を出力する直流電源回路と；スイッチ素子を備え、このスイッチ素子のオンオフ動作により前記直流電圧を高周波電圧に変換して出力するインバータ回路と；第１のインダクタおよび第１の共振用コンデンサを有してなり、インバータ回路の出力間に接続されて前記高周波電圧により共振する第１の共振回路と；第１のインダクタと略同等のインダンタンス値を有する第２のインダクタおよび第１の共振用コンデンサと略同等のキャパシタンス値を有する第２の共振用コンデンサを有してなり、インバータ回路の出力間に第１の共振回路と並列的に接続された第１の共振回路の固有共振周波数と略同等の固有共振周波数を有する第２の共振回路と；第１の共振用コンデンサの両端間に直列的に接続された定格ランプ電流が略同等の第１および第２の放電ランプと；第２の共振用コンデンサの両端間に接続された第１および第２の放電ランプよりも定格ランプ電圧が大きく定格ランプ電流が略同等の第３の放電ランプと；前記スイッチ素子のオンオフ動作を第１または第２の共振回路の固有共振周波数の近傍の発振周波数により制御する制御回路と；を具備していることを特徴とする。
【０００７】
第１および第２の放電ランプは、ランプ電圧が同等であっても、異なっていてもよい。
【０００８】
本発明によれば、第１および第２の共振回路のそれぞれの固有共振周波数が略同等であって、インバータ回路のスイッチ素子が当該固有共振周波数の近傍の発振周波数によりオンオフ動作するので、第１ないし第３の放電ランプに流れる電流は略同等となる。そして、定格ランプ電圧の最も大きい第３の放電ランプ１本が第２の共振回路により点灯され、第３の放電ランプよりも定格ランプ電圧の低い第１および第２の放電ランプが第１の共振回路により点灯されるので、第１ないし第３の放電ランプの組合せにおいて、第１および第２の共振回路に流れる電流が最大限抑制される。したがって、共振回路での発熱を最大限抑制できる。
【０００９】
そして、第１および第２の放電ランプの一方または両方が間引きされても、第３の放電ランプは所定のランプ特性で点灯される。また、第３の放電ランプが間引きされても、第１および第２の放電ランプはそれぞれ所定のランプ特性で点灯される。すなわち、第１および第２の放電ランプの一方または両方を間引きしても、第３の放電ランプが点灯され、第３の放電ランプを間引しても、第１および第２の放電ランプが点灯される。
【００１０】
請求項２に記載の放電ランプ点灯装置の発明は、請求項１記載の放電ランプ点灯装置において、直流電源回路は、チョッパ回路を具備し、このチョッパ回路の出力電圧を変化させることにより、インバータ回路から出力される高周波電圧を変化させることを特徴とする。
【００１１】
チョッパ回路の出力電圧の変化は、インバータ回路の入力電圧の変化となり、インバータ回路の出力電圧（高周波電圧）を変化させる。インバータ回路の出力電圧が変化すると、第１および第２の共振回路の共振電流が変化し、第１ないし第３の放電ランプに流れるランプ電流が変化する。第１および第２の共振回路のそれぞれの固有共振周波数は略同等であるので、第１ないし第３の放電ランプに流れるランプ電流の変化（変化率）は、略同一となる。
【００１２】
本発明によれば、チョッパ回路の出力電圧を変化させることにより、第１ないし第３の放電ランプに流れるランプ電流が変化するので、当該放電ランプが同時に同一調光率で調光される。
【００１３】
請求項３に記載の照明器具の発明は、請求項１または２記載の放電ランプ点灯装置と；この放電ランプ点灯装置を配設している照明器具本体と；を具備していることを特徴とする。
【００１４】
本発明によれば、請求項１または２記載の放電ランプ点灯装置を具備し、３本の放電ランプが２つの共振回路により点灯されるので、第１および第２の放電ランプ、または第３の放電ランプを点灯するようにして第１および第２の放電ランプの一方または両方、あるいは第３の放電ランプを間引き可能な照明器具が提供される。
【００１５】
請求項４に記載の照明器具は、請求項３記載の照明器具において、第１ないし第３の放電ランプは、環形蛍光ランプであって、第３の放電ランプが最も外側となるように配設されていることを特徴とする。
【００１６】
本発明によれば、最も外側の放電ランプを間引きすると、内側の２本の放電ランプを点灯することができ、内側の２本の放電ランプのうち、１本を間引きすると、外側の１本を点灯することができる。
【発明の効果】
【００１７】
請求項１の発明によれば、３本の放電ランプを２つの共振回路で点灯させるので、第１および第２の放電ランプの一方または両方を間引きしても、第３の放電ランプを所定のランプ特性で点灯させ、第３の放電ランプを間引しても、第１および第２の放電ランプの両方をそれぞれ所定のランプ特性で点灯させることができる。したがって、少なくとも１本の放電ランプが点灯するように間引きすることによって、省電力を図ることができる。そして、第１および第２の放電ランプを１つの第１の共振回路に接続するので、コスト低減を図ることができて、放電ランプ点灯装置を安価にすることができる。
【００１８】
請求項２の発明によれば、外部信号によりチョッパ回路の出力電圧を変化させて、第１ないし第３の放電ランプを同時に調光させることができる。
【００１９】
請求項３の発明によれば、請求項１または２記載の放電ランプ点灯装置を具備するので、少なくとも１つの放電ランプを点灯するようにして放電ランプを間引き可能な照明器具を提供することができる。
【００２０】
請求項４の発明によれば、最も外側の放電ランプを間引きすると、内側の２本の放電ランプを点灯することができ、内側の２本の放電ランプのうち、１本を間引きしても、最も定格ランプ電圧が高く放電路長の長い放電ランプが点灯するので、所定の明るさを得ることができる。
【発明を実施するための最良の形態】
【００２１】
以下、本発明の一実施の形態について、図面を参照して説明する。まず、本発明の第１の実施形態について説明する。
【００２２】
図１および図２は、本発明の第１の実施形態を示し、図１は放電ランプ点灯装置の回路図、図２はスイッチ素子の発振周波数に対するランプ電圧の変化図である。
【００２３】
図１において、放電ランプ点灯装置１は、直流電源回路２、インバータ回路３、第１の共振回路４、第２の共振回路５、第１の放電ランプとしての蛍光ランプ６、第２の放電ランプとしての蛍光ランプ７、第３の放電ランプとしての蛍光ランプ８および制御回路としてのインバータ回路用制御回路９を有して構成されている。
【００２４】
直流電源回路２は、直流電圧発生回路１０およびチョッパ回路１１からなっている。直流電圧発生回路１０は、整流装置１２およびフィルター用のコンデンサＣ１を有してなり、商用交流電源Ｖｓの商用交流電圧を直流電圧に変換し、直流電圧をコンデンサＣ１の両端間に出力する。コンデンサＣ１の負極側は、コンデンサＣ２を介してアースＥに接続されている。
【００２５】
チョッパ回路１１は、コンデンサＣ１の両端間に接続されたインダクタＬ１および電界効果トランジスタＦＥＴ１の直列回路と、電界効果トランジスタＦＥＴ１の両端間に接続されたダイオードＤ１および平滑用コンデンサＣ２の直列回路を有して構成されている。そして、電界効果トランジスタＦＥＴ１のゲート、ソースは、チョッパ回路用制御回路１２に接続されている。
【００２６】
チョッパ回路用制御回路１２は、電界効果トランジスタＦＥＴ１をオンオフ動作させ、コンデンサＣ１の両端間に発生した直流電圧を昇圧する。これにより、平滑用コンデンサＣ３の両端間に所定の直流電圧が発生する。平滑用コンデンサＣ３の両端間電圧は、インバータ回路３の入力電圧として出力される。
【００２７】
そして、チョッパ回路用制御回路１２は、受光器１３に接続されており、受光器１３から調光信号（外部信号）が入力される。そして、当該調光信号に応じて、電界効果トランジスタＦＥＴ１をオンオフ動作させる。これにより、平滑用コンデンサＣ３の両端間に発生する直流電圧、すなわちチョッパ回路１１の出力電圧が変化してインバータ回路３に入力される。なお、調光手段は、一般的に住宅照明器具で使用されているプルスイッチなどの手動切換手段であってもよい。
【００２８】
そして、インバータ回路３は、平滑用コンデンサＣ３の両端間に接続されたスイッチ素子としての電界効果トランジスタＦＥＴ２および電界効果トランジスタＦＥＴ３の直列回路を有して構成されている。電界効果トランジスタＦＥＴ２および電界効果トランジスタＦＥＴ３のそれぞれのゲート、ソースは、それぞれ駆動回路１４に接続されている。駆動回路１４は、インバータ回路用集積回路９に接続されている。
【００２９】
駆動回路１４は、インバータ回路用集積回路９からの制御信号（パルス信号）に応じて、電界効果トランジスタＦＥＴ２および電界効果トランジスタＦＥＴ３のそれぞれのゲート、ソース間に交互に駆動電圧を供給する。これにより、電界効果トランジスタＦＥＴ２および電界効果トランジスタＦＥＴ３が交互にオンオフ動作する。このオンオフ動作により、チョッパ回路１１から出力された直流電圧は、高周波電圧に変換され、電界効果トランジスタＦＥＴ３のドレイン、ソース間に出力される。電界効果トランジスタＦＥＴ３のドレイン、ソース間は、インバータ回路３の出力間となっている。
【００３０】
第１の共振回路４は、直流カット用コンデンサＣ４、第１のインダクタＬ２、第１のインダクタＬ２と共振する第１のコンデンサＣ５を有し、直列接続された蛍光ランプ６，７を介してインバータ回路３の出力間に接続されている。すなわち、電界効果トランジスタＦＥＴ３のドレイン、ソース間に、直流カット用コンデンサＣ４、第１のインダクタＬ２、蛍光ランプ６のフィラメント電極６ａ、第１のコンデンサＣ５および蛍光ランプ７のフィラメント電極７ｂが直列接続されている。第１の共振回路４は、電界効果トランジスタＦＥＴ３のドレイン、ソース間に出力された高周波電圧により共振する。
【００３１】
そして、蛍光ランプ６のフィラメント電極６ｂおよび蛍光ランプ７のフィラメント電極７ａのそれぞれの一端が互いに接続され、フィラメント電極６ｂおよびフィラメント電極７ａのそれぞれの他端は、第１のインダクタＬ２の予熱巻線Ｌ２ａの両端間に接続されている。そして、第１のコンデンサＣ５は、フィラメント電極６ａおよびフィラメント電極７ｂのそれぞれの非電源側に接続されている。すなわち、第１のコンデンサＣ５の両端間に、蛍光ランプ６および蛍光ランプ７が直列的に接続されている。
【００３２】
第２の共振回路５は、直流カット用コンデンサＣ６、第２のインダクタＬ３、第２のインダクタＬ３と共振する第２のコンデンサＣ７を有し、蛍光ランプ８を介してインバータ回路３の出力間に接続されている。すなわち、電界効果トランジスタＦＥＴ３のドレイン、ソース間に、直流カット用コンデンサＣ６、第２のインダクタＬ３、蛍光ランプ８のフィラメント電極８ａ、第２のコンデンサＣ７および蛍光ランプ８のフィラメント電極８ｂが直列接続されている。蛍光ランプ８は、第２のコンデンサＣ７の両端間に接続されている。そして、第２の共振回路５は、インバータ回路３から出力された高周波電圧により共振する。
【００３３】
第１の共振回路４および第２の共振回路５は、並列的に接続されて、インバータ回路３の出力間に接続されている。そして、第１の共振回路４の固有共振周波数ｆ０１と第２の共振回路５の固有共振周波数ｆ０２は、略同等となっている。すなわち、固有共振周波数ｆ０１および固有共振周波数ｆ０２が略同等となるように、第１のインダクタＬ２のインダクタンス値および第１の共振用コンデンサＣ５のキャパシタンス値と、第２のインダクタＬ３のインダクタンス値および第２の共振用コンデンサＣ７のキャパシタンス値が略同等となるように設定されている。
【００３４】
固有共振周波数ｆ０は、ｆ０＝１／（２π（ＬＣ）１／２）の計算式で求められる。ここで、Ｌは第１または第２のインダクタＬ２，Ｌ３のそれぞれのインダクタンス値、Ｃは第１または第２の共振用コンデンサＣ５，Ｃ７のそれぞれのキャパシタンス値である。前記計算式に、第１のインダクタＬ２のインダクタンス値および第１の共振用コンデンサＣ５のキャパシタンス値を算入することにより、第１の共振回路４の固有共振周波数ｆ０１が求められ、第２のインダクタＬ３のインダクタンス値および第２の共振用コンデンサＣ７のキャパシタンス値を算入することにより、第２の共振回路５の固有共振周波数ｆ０２が求められる。なお、直流カット用コンデンサＣ４，Ｃ６は、その容量がそれぞれ共振用コンデンサＣ５，Ｃ７の容量よりも非常に大きいので、固有共振周波数ｆ０１，ｆ０２の算出値に対する誤差は小さい。
【００３５】
蛍光ランプ６、蛍光ランプ７および蛍光ランプ８は、ランプ電流の定格値が同一である。そして、蛍光ランプ８のランプ電圧は、蛍光ランプ６および蛍光ランプ７のそれぞれのランプ電圧よりも大きいものである。蛍光ランプ６および蛍光ランプ７のそれぞれのランプ電圧は、同一であっても、異なっていてもよい。
【００３６】
そして、インバータ回路用制御回路９は、蛍光ランプ６，７，８の予熱時、始動時および点灯時に、図２に示すように、インバータ回路３の電界効果トランジスタＦＥＴ２，ＦＥＴ３の発振周波数を変化させる制御信号を駆動回路１４に出力する。これにより、予熱時に、蛍光ランプ６のフィラメント電極６ａ，６ｂ、蛍光ランプ７のフィラメント電極７ａ，７ｂおよび蛍光ランプ８のフィラメント電極８ａ，８ｂが予熱される。そして、始動時に共振用コンデンサＣ５の両端間に発生する高電圧（Ｖ２０）により、蛍光ランプ６および蛍光ランプ７が点灯し、共振用コンデンサＣ７の両端間に発生する高電圧（Ｖ２０）により、蛍光ランプ８が点灯する。そして、点灯時に、蛍光ランプ６、蛍光ランプ７および蛍光ランプ８に定電流（ランプ電流）が流れる。
【００３７】
そして、インバータ回路用制御回路９は、インバータ回路３の電界効果トランジスタＦＥＴ２，ＦＥＴ３の発振周波数が第１または第２の共振回路４，５の固有共振周波数ｆ０１，ｆ０２の近傍の周波数ｆ０となるように、電界効果トランジスタＦＥＴ２，ＦＥＴ３のオンオフ動作を制御するように構成されている。これにより、蛍光ランプ６、蛍光ランプ７および蛍光ランプ８のそれぞれに定格値のランプ電流が流れるようにしている。
【００３８】
次に、本発明の第１の実施形態の作用について説明する。
【００３９】
インバータ回路用制御回路９は、点灯時に、インバータ回路３の電界効果トランジスタＦＥＴ２，ＦＥＴ３のオンオフ動作を第１または第２の共振回路４，５の固有共振周波数ｆ０１，ｆ０２の近傍の発振周波数ｆ０により制御する。この制御により、蛍光ランプ６、蛍光ランプ７および蛍光ランプ８に定格のランプ電流（定電流）が流れる。そして、蛍光ランプ６、蛍光ランプ７および蛍光ランプ８は、それぞれ定格のランプ電力で点灯して略一定の光束を放射する。
【００４０】
そして、蛍光ランプ６および蛍光ランプ７の一方または両方が第１の共振回路４に接続されていないと、第１の共振回路４は、蛍光ランプ６のフィラメント電極６ａおよび蛍光ランプ７のフィラメント電極７ｂを介してインバータ回路３の出力間（電界効果トランジスタＦＥＴ３のドレイン、ソース間）に接続されているので、インバータ回路３の出力から遮断され、共振電流が流れなくなる。このとき、インバータ回路３の電界効果トランジスタＦＥＴ２，ＦＥＴ３は、第２の共振回路５の固有共振周波数ｆ０２の近傍の発振周波数ｆ０でオンオフ動作しているので、蛍光ランプ８は、定格のランプ電流が流れ、定格のランプ電力で点灯する。
【００４１】
そして、蛍光ランプ８が第２の共振回路５に接続されていないと、第２の共振回路５は、蛍光ランプ８のフィラメント電極８ａ，８ｂを介してインバータ回路３の出力間に接続されているので、インバータ回路３の出力から遮断され、共振電流が流れなくなる。このとき、インバータ回路３の電界効果トランジスタＦＥＴ２，ＦＥＴ３は、第１の共振回路４の固有共振周波数ｆ０１の近傍の発振周波数ｆ０でオンオフ動作しているので、直列接続されている蛍光ランプ６および蛍光ランプ７には、それぞれ定格のランプ電流が流れる。蛍光ランプ６および蛍光ランプ７は、それぞれ定格のランプ電力で点灯する。
【００４２】
上述したように、第１の共振回路４に蛍光ランプ６および蛍光ランプ７の一方または両方を接続させなくしても、第２の共振回路５に接続されている蛍光ランプ８が点灯され、第２の共振回路５に蛍光ランプ８を接続させなくしても、第１の共振回路５に接続されている蛍光ランプ６および蛍光ランプ７が点灯される。すなわち、放電ランプ点灯装置１は、蛍光ランプ６および蛍光ランプ７の一方または両方を間引きしても、蛍光ランプ８を点灯させることができ、蛍光ランプ８を間引きしても、蛍光ランプ６および蛍光ランプ７の両方を点灯させることができる。
【００４３】
そして、蛍光ランプ６および蛍光ランプ７を第１の共振回路４に接続しているので、２本の蛍光ランプ６，７に対して１つの共振回路４となっている。したがって、蛍光ランプ６および蛍光ランプ７のそれぞれに共振回路を形成するよりは、部品点数が削減されるので、放電ランプ点灯装置１の価格を低減させることができる。
【００４４】
そして、例えばリモコン装置を用いて受光器１３に調光信号を送信すると、チョッパ回路用制御回路１２の制御により、チョッパ回路１１の出力電圧が変化され、インバータ回路３の出力電圧が変化して、第１および第２の共振回路４，５に流れる共振電流が変化する。共振電流の変化は、ランプ電流の変化となり、蛍光ランプ６、蛍光ランプ７および蛍光ランプ８が同時に同一の調光率で調光される。蛍光ランプ６、蛍光ランプ７および蛍光ランプ８は、５０％〜１００％（全光）の範囲で調光される。
【００４５】
次に、本発明の第２の実施形態について述べる。
【００４６】
図３は、本発明の第２の実施形態を示す照明器具の一部切り欠き正面図である。なお、図１と同一部分には同一符号を付して説明は省略する。
【００４７】
図３に示す照明器具１５は、天井などの造営物に設置される直付け照明器具であり、照明器具本体１６が造営物に取り付けられている。照明器具本体２５は、複数のランプホルダー１７，１８，１９を配設し、これらのランプホルダー１７，１８，１９に環外径の異なる蛍光ランプ６，７，８がそれぞれ取り付けられている。蛍光ランプ６，７，８は、定格のランプ電流は同一であるが、定格のランプ電圧（ランプ電力）はそれぞれ異なっている。
【００４８】
また、照明器具本体２５は、内部に放電ランプ用点灯装置２０を配設している。この放電ランプ用点灯装置２０は、図１に示す放電ランプ点灯装置１において、蛍光ランプ６，７，８が取り除かれたものである。さらに、照明器具本体２５の下面側の中央部には、リモコン装置からのワイヤレス信号（調光信号）を受信する受光器１３が取付けられている。リモコン装置から受光器１３に調光信号を送信して、蛍光ランプ６，７，８を同時に同一の調光率で調光点灯させることができる。
【００４９】
そして、照明器具本体２５の前面側に透光性のグローブ２１が着脱自在に配設されている。グローブ２１は、蛍光ランプ６，７，８を間引きするときに取り外される。蛍光ランプ６，７，８の間引きは、ランプホルダー１７，１８，１９から蛍光ランプ６，７，８を取外してもよく、蛍光ランプ６，７，８のそれぞれの口金（図示しない。）からランプソケット（図示しない。）を取外すようにしてもよい。
【００５０】
照明器具１５は、図１に示す放電ランプ点灯装置１を配設しているので、蛍光ランプ６および蛍光ランプ７の一方または両方を間引きして、蛍光ランプ８を点灯させることができ、蛍光ランプ８を間引きして、蛍光ランプ６および蛍光ランプ７の両方を点灯させることができる。これにより、照明器具１５での省電力を図ることができる。
【００５１】
また、最も外側の１本の蛍光ランプ８を点灯するようにしても、蛍光ランプ８は放電路長が長いので、所定の明るさが得られる。
【図面の簡単な説明】
【００５２】
【図１】本発明の第１の実施形態を示す放電ランプ点灯装置の回路図。
【図２】同じく、スイッチ素子の発振周波数に対するランプ電圧の変化図。
【図３】本発明の第２の実施形態を示す照明器具の一部切り欠き側面図。
【符号の説明】
【００５３】
１…放電ランプ点灯装置
２…直流電源回路
３…インバータ回路
４…第１の共振回路
５…第２の共振回路
６…第１の放電ランプとしての蛍光ランプ
７…第２の放電ランプとしての蛍光ランプ
８…第３の放電ランプとしての蛍光ランプ
９…制御回路としてのインバータ回路用制御回路
１１…チョッパ回路
１５…照明器具
１６…照明器具本体
【図１】
2006286424.tif 000003
【図２】
2006286424.tif 000004
【図３】
2006286424.tif 000005